(57)【要約】【課題】受信機毎に異なる文字サイズや画面の色味の差異をなくし、どの受信機でも番組制作者の意図したとおりの表示を実現する。【解決手段】文字情報及び色情報を含むマークアップ言語データを作成して放送する放送局と、前記マークアップ言語データを受信して受像機に前記文字情報及び前記色情報に基づいた表示を行う受信機とを備えるデータ放送システムにおいて、前記放送局が作成した前記マークアップ言語データの前記受信機における表示を最適とするための表示最適化データを保存するサービスサーバを更に備え、前記受信機は前記マークアップ言語データ受信時に前記サービスサーバより前記表示最適化データを取得し、この表示最適化データに基づいて前記文字情報及び前記色情報を修正して前記マークアップ言語データを表示する。【選択図】  図１
2004187130.tif 000002
【特許請求の範囲】
【請求項１】
文字情報及び色情報を含むマークアップ言語データを作成して放送する放送局と、前記マークアップ言語データを受信して受像機に前記文字情報及び前記色情報に基づいた表示を行う受信機とを備えるデータ放送システムにおいて、
前記放送局が作成した前記マークアップ言語データの前記受信機における表示を最適とするための表示最適化データを保存するサービスサーバを更に備え、
前記受信機は前記マークアップ言語データ受信時に前記サービスサーバより前記表示最適化データを取得し、この表示最適化データに基づいて前記文字情報及び前記色情報を修正して前記マークアップ言語データを表示することを特徴とするデータ放送システム。
【請求項２】
請求項１記載のデータ放送システムにおいて、
サービスサーバは、放送局が作成したマークアップ言語データの受信機での表示を評価して数値化した表示最適化データを作成する表示評価部と、前記表示最適化データを保存する表示最適化データ記憶部とを有することを特徴とするデータ放送システム。
【請求項３】
請求項２記載のデータ放送システムにおいて、
受信機は前記マークアップ言語データ受信時に表示最適化データ記憶部より表示最適化データを取得し、この表示最適化データに基づいて文字情報及び色情報を修正してマークアップ言語データを表示することを特徴とするデータ放送システム。
【請求項４】
請求項１ないし請求項３のいずれかに記載のデータ放送システムにおいて、
表示最適化データは、複数の受信機毎に対応する複数がサービスサーバに保存され、受信機はサービスサーバより前記表示最適化データを取得する際には自機種を示すデータを送信し、前記サービスサーバは前記受信機に対応する表示最適化データを前記受信機に送信することを特徴とするデータ放送システム。
【請求項５】
請求項１ないし請求項４のいずれかに記載のデータ放送システムにおいて、
放送局は、受信機が表示最適化データを取得するように指示するデータを作成し、該データを放送するマークアップ言語データに含ませる手段を備え、前記受信機は、マークアップ言語データに表示最適化データを取得するように指示するデータが含まれている場合に、サービスサーバより前記表示最適化データを取得し、この表示最適化データに基づいて文字情報及び色情報を修正して前記マークアップ言語データを表示することを特徴とするデータ放送システム。
【発明の詳細な説明】
【０００１】
【発明の属する技術分野】
本発明はデータ放送システムに関し、特に、放送受信機がネットワークに接続されているデータ放送システムに関する。
【０００２】
【従来の技術】
近年、放送として動画像や音声を送信するだけでなく、データを送って画面に文字情報や静止画を表示させるデータ放送が広まっている。このようなデータ放送では、受信機は電話回線等のネットワークに接続されており、受信確認情報や受信機の設置地域、番組購入情報等を放送局に送信する機能を有している。
【０００３】
上記のようなデータ放送システムの従来例として、ユーザの嗜好にあった表示画面を自動的に作製することを目的として、受信機内で、視聴番組のジャンルや、使用した機能の履歴を自動的に蓄積、更新してよく見られる番組やよく利用される機能を目立つように画面表示することが行なわれている。この結果、良く見られるジャンルの番組について見逃すことが少なくなり、また、受信機多機能になった場合でも操作面でのユーザの負担が軽減される（例えば、特許文献１参照）。
【０００４】
また、他の従来例としては、ユーザによるコンテンツの表示のカスタマイズを容易とすることも提案されている（例えば、特許文献２参照）。
【０００５】
図４は特許文献２に開示される構成を示すブロック図である。データ放送装置４１は、コンテンツ生成手段４２においてデータ放送を行うコンテンツデータを生成し、データ放送送出手段４３から送出する。このとき、データ放送装置４１は、コンテンツ生成手段４２においてユーザー（視聴者）が選択可能な複数の画面パターンを用意してコンテンツデータに含め、衛星４４を利用して放送する。
【０００６】
データ放送受信装置４５は、画面パターンを含んだデータ放送を受信した場合は、ユーザーは画面パターンを選択できる。また、このデータ放送受信装置４５は、コンテンツデータを表示する場合の表示文字サイズ、文字色、文字背景色、動画や静止画の位置とサイズ、等をユーザーが指定し、レイアウト記憶手段４９に記憶しておき、受信したコンテンツデータに適用することもできる。
【０００７】
また、さらに他の従来例としては、受信機においては、視聴者の嗜好情報を正確に反映した形で、嗜好に合った番組を優先的に表示させ、放送局においては、視聴者の嗜好の変化を適宜捉えることを目的として放送データに番組嗜好情報を質問するアンケートを含めて放送し、視聴者の答え鵜によるアンケート結果を受信機に受信履歴とともに蓄積させ、放送局が受信者情報送信命令を放送データとして送信すると、受信機はそれに応答して受信機内に蓄積されている嗜好情報等を放送局に返信することが行なわれている。この結果、受信機においては放送の中から嗜好に合った番組を優先的に表示することができ、放送局においては視聴者の嗜好の変化を適宜捉え、番組制作に有効に活かすことができる（例えば、特許文献３参照）。
【０００８】
また、さらに他の従来例としては、情報を文字放送として送る場合に、特定の機種の受信機だけで情報を表示できるようにすることを目的として、情報の文字情報は背景と同色でデータを構成し、特定の機種の受信機では背景と同色の文字情報を見つけた場合にはそれを背景とは異なる色で表示することが行なわれている。この結果、特定の機種以外の受信機では情報は表示されず、特定の機種の受信機でのみ情報が表示される（例えば、特許文献４参照）。
【０００９】
【特許文献１】
特開２０００−１９６９７０号公報
【特許文献２】
特開２００１−２８５２１７号公報
【特許文献３】
特開２００２−０５１０２１号公報
【特許文献４】
特開平０２−１１１１８３号公報
【００１０】
【発明が解決しようとする課題】
放送では、放送したコンテンツデータや映像・音声といった放送内容がどの受信機でも同じように見えることが望ましい。しかしながら、特許文献４に開示される技術は、情報の表示を行なうことのできる機種が限定されてしまう。
【００１１】
また、受信機に内蔵されている文字フォントや画面表示回路の差が原因で、現実的には受信機のメーカーや機種によって、画面に表示される文字サイズや画像の色味等が異なってしまう。さらに、特許文献１ないし特許文献３に開示される技術では、ユーザの嗜好や指定により文字サイズや文字色、文字背景色等変更されるが、これはユーザー自身が自己の見易いように表示をカスタマイズするもので、表示状態はコンテンツデータの制作者が意図したものとは関係ないものとなってしまうという問題点がある。
【００１２】
本発明は、どの受信機でも同じように、番組制作者の意図したとおりにコンテンツを表示することのできるデータ放送システムを提供することを目的とする。
【００１３】
【課題を解決するための手段】
本発明のデータ放送システムは、文字情報及び色情報を含むマークアップ言語データを作成して放送する放送局と、前記マークアップ言語データを受信して受像機に前記文字情報及び前記色情報に基づいた表示を行う受信機とを備えるデータ放送システムにおいて、
前記放送局が作成した前記マークアップ言語データの前記受信機における表示を最適とするための表示最適化データを保存するサービスサーバを更に備え、
前記受信機は前記マークアップ言語データ受信時に前記サービスサーバより前記表示最適化データを取得し、この表示最適化データに基づいて前記文字情報及び前記色情報を修正して前記マークアップ言語データを表示することを特徴とする。
【００１４】
この場合、サービスサーバは、放送局が作成したマークアップ言語データの受信機での表示を評価して数値化した表示最適化データを作成する表示評価部と、前記表示最適化データを保存する表示最適化データ記憶部とを有することとしてもよい。
【００１５】
さらに、受信機は前記マークアップ言語データ受信時に表示最適化データ記憶部より表示最適化データを取得し、この表示最適化データに基づいて文字情報及び色情報を修正してマークアップ言語データを表示することとしてもよい。
【００１６】
上記のいずれにおいても、表示最適化データは、複数の受信機毎に対応する複数がサービスサーバに保存され、受信機はサービスサーバより前記表示最適化データを取得する際には自機種を示すデータを送信し、前記サービスサーバは前記受信機に対応する表示最適化データを前記受信機に送信することとしてもよい。。
【００１７】
さらに、放送局は、受信機が表示最適化データを取得するように指示するデータを作成し、該データを放送するマークアップ言語データに含ませる手段を備え、前記受信機は、マークアップ言語データに表示最適化データを取得するように指示するデータが含まれている場合に、サービスサーバより前記表示最適化データを取得し、この表示最適化データに基づいて文字情報及び色情報を修正して前記マークアップ言語データを表示することとしてもよい。
【００１８】
【発明の実施の形態】
次に、本発明の実施例について図面を参照して説明する。
【００１９】
図１は、本発明によるデータ放送システムの一実施例の構成を示すブロック図である。
【００２０】
本実施例は放送局１００、受信機２００およびサービスサーバ３００から構成されている。
【００２１】
放送局１００は、映像・音声制作部１１、データ制作部１２、多重化部１３、番組送出部１４およびアンテナ１５から構成されている。
【００２２】
受信機２００は受信部２１、ＡＶデコーダ２２、データデコーダ２３、ＡＶ・データ合成部２４、受信機／スピーカ２５、ＣＰＵ２６メモリ２７、データ送受信部２８、リモコン制御部２９、これらを相互に接続するバス３０、受信部２１に接続されるアンテナ３１、および、リモコン制御部２９に支持信号を送出するリモコン３２から構成されている。
【００２３】
サービスサーバ３００は、表示評価部１６、表示最適化データ記憶部１７、受信機１８および受信機１８に接続されるアンテナ１９から構成されている。
【００２４】
放送局１００では、映像・音声制作部１１により、番組の映像・音声データが準備され、データ制作部１２により、データ放送のマークアップ言語（ＢＭＬ：Ｂｒｏａｄｃａｓｔ  ｍａｒｋｕｐ  Ｌａｎｇｕａｇｅ）データが準備される。映像・音声データとＢＭＬデータは、デジタル形式のデータである。これらのデジタルデータは多重化部１３で多重化されて一つのストリームデータとなり、番組送出部１４からアンテナ１５に出力されて放送波（データ放送）となる。
【００２５】
受信機２００では、アンテナ３１で放送波を受信し、該放送波は受信部２１へ送られて受信データとされる。受信データはＣＰＵ２６により映像・音声データとＢＭＬデータに分離され、バス３０を介してメモリ２７へ格納される。なお、メモリ２７は例えば半導体メモリ、ハードディスクやリムーバブルディスクで構成される。
【００２６】
図２はメモリ２７のデータ格納内容を示すブロック図である。受信データのうちの映像・音声データは映像・音声データ領域３３に格納され、ＢＭＬデータはＢＭＬデータ領域３４に格納される。また、メモリ２７には、後述する機種最適化データを格納するための、機種最適化データ領域３５が確保されている。
【００２７】
再度図１に戻って説明を行なう。メモリ２７に格納された映像・音声データは、ＡＶデコーダ２２に送られて所定の形式に変換された後、ＡＶ・データ合成部２４へ送られる。また、メモリ２７に格納されたＢＭＬデータはデータデコーダ２３で所定の形式に変換された後、ＡＶ・データ合成部２４へ送られる。ＡＶ・データ合成部２４は、変換された映像・音声データのうちの映像データとＢＭＬデータとを合成して表示画面を作成し、さらに音声をＤ／Ａ変換し、これらを受像機／スピーカ２５へ送る。このようにして放送が再生される。
【００２８】
また、視聴者はリモコン３２を操作して、例えば受像機のチャンネル切り替えやメール作成、音量調整等各種機能をコントロールできる。リモコン３２から発信された命令を示す信号は、リモコン制御部２９で受信される。ＣＰＵ２６はリモコン制御部２９で受信された信号に含まれる命令を解析し、図示しない制御手段を用いて受信機２００の各種機能をコントロールしている。更にＣＰＵ２６は放送波を受信してから再生されるまでの一連の処理について、受信機２００を構成する各部を管理している。
【００２９】
サービスサーバ３００は、既に販売されている、或いは販売予定の評価用の複数の受信機１８を備えている。サービスサーバ３００を構成する表示評価部１６は、放送局１００のデータ制作部１２からＢＭＬデータを受け取ると、各受信機１８の表示状態を評価し、その結果に応じて受け取ったＢＭＬデータを用いて各機種毎に表示最適化データ３６を作成する。この表示最適化データ３６は、各機種毎の表示の差異を調整して均一にするために作成されるデータであり、表示評価部１６で作成された表示最適化データ３６は、表示最適化データ記憶部１７に保存される。
【００３０】
図３は、本実施の形態における、表示最適化データ３６の構成を示す図である。表示最適化データ３６は、標準データ３７と機種最適化データ３８とで構成される。
【００３１】
標準データ３７は、表示の標準と想定するデータであり、例えば放送局１００のデータ制作部１２がＢＭＬデータを制作するときの機材で表示される文字サイズや色味を元に設定される。
【００３２】
機種最適化データ３８は、機種毎に用意されるデータであり、図では各機種Ａ，Ｂ，Ｃのデータを示している。各機種のデータは、少なくとも、文字サイズ調整データ３９と、色調整データ４０とで構成され、色調整データ４０は、Ｒ，Ｇ，Ｂ３色毎に、調整値が設定されている。尚、図示の文字サイズ調整データ３９と色調整データ４０の各調整値は、一例を示したものである。
【００３３】
各々の機種最適化データ３８の設定値は、表示評価部１６が機種毎の表示の様子を標準データ３７と比較して差異・差分を求めて数値化し、設定される。この比較は、人による視聴チェックや、画像認識技術を用いて行う。
【００３４】
放送局１００において、ＢＭＬデータをどの機種でも同じ様に表示させたい場合には、放送するＢＭＬデータに、サービスサーバ３００の連絡先（アドレス）とサービスサーバ３００から受信機に対応する機種最適化データ３８とを取得するための指示プログラム（以後、表示最適化スクリプトと呼ぶ）を含めて放送する。
【００３５】
受信機２００は、このデータ放送を受信すると、データデコーダ２３とＣＰＵ２６により表示最適化スクリプトを実行して、データ送受信部２８を介してサービスサーバ３００へアクセスする。
【００３６】
サービスサーバ３００は、受信機２００から機種最適化データ３８の取得要求を受けると、受信機２００に対応する機種最適化データ３８を受信機２００に送信する。このようにして受信機２００は機種最適化データ３８を取得し、メモリ２７の機種最適化データ領域３５に保存する。
【００３７】
次に、表示最適化スクリプトの実行によって、ＡＶ・データ合成部２４にデコードしたＢＭＬデータを送る前に、ＢＭＬデータに含まれている文字サイズ指定値や色指定値を検出して、表示差分データ領域３８に保存された表示差分データに基づいて各々の値が修正・最適化される。この最適化の後、ＡＶ・データ合成部２４に最適化されたＢＭＬデータが送られ、受像機２５にて制作者の意図したとおりの表示がなされる。
【００３８】
以上説明した本実施の形態において、放送局１００のデータ制作部１２から表示評価部１６が受け取るＢＭＬデータとしては、評価用に放送局１００で制作されたＢＭＬデータが適している。また、サービスサーバ３００は、受信機１８及びアンテナ１９を用いて実際に放送されているＢＭＬデータを取得して表示評価部１６に送り、表示最適化データの再調整を行い、さらに最適化の精度を上げることもできる。
【００３９】
さらに、表示最適化データ３６は文字サイズ調整データ３９と、色調整データ４０とだけで構成されるものではなく、図形のサイズを示すタグ等、画面構成を指示するＢＭＬデータのタグ毎に調整データを用意してもよい。
【００４０】
【発明の効果】
以上説明したように本願発明によれば、販売されている様々な機種の受信機毎に、表示を最適にするデータを用意しておくことによって、各受信機において番組制作者の意図したとおりの表示を得ることができる効果がある。
【図面の簡単な説明】
【図１】本発明の実施の形態のデータ放送システムの全体ブロック図。
【図２】本発明のメモリ２７の概念図。
【図３】本発明の表示最適化データ３６の概念図。
【図４】従来のデータ放送システムの例。
【符号の説明】
１１    映像・音声制作部
１２    データ制作部
１３    多重化部
１４    番組送出部
１５，１９，３１    アンテナ
１６    表示評価部
１７    表示最適化データ記憶部
１８    受信機
２１    受信部
２２    ＡＶデコーダ
２３    データデコーダ
２４    ＡＶ・データ合成部
２５    受像機／スピーカ
２６    ＣＰＵ
２７    メモリ
２８    データ送受信部
２９    リモコン制御部
３０    バス
３２    リモコン
３３    映像・音声データ領域
３４    ＢＭＬデータ領域
３５    機種最適化データ領域
３６    表示最適化データ
３７    標準データ
３８    機種最適化データ
３９    文字サイズ調整データ
４０    色調整データ
４１    データ放送装置
４２    コンテンツ生成手段
４３    データ放送送出手段
４４    衛星
４５    データ放送受信装置
４６    データ放送受信手段
４７    データ記憶手段
４８    表示制御手段
４９    レイアウト記憶手段
５０    表示手段
５１    指示入力手段
１００    放送局
２００    受信機
３００    サービスサーバ
【図１】
2004187130.tif 000003
【図２】
2004187130.tif 000004
【図３】
2004187130.tif 000005
【図４】
2004187130.tif 000006